(57)【特許請求の範囲】
【請求項１】
水平同期信号を含むコンポジット映像信号（ＣＶＢＳ信号）がアナログ変調されたＲＦ信号を復調し、デジタル処理で前記ＣＶＢＳ信号を再生する機能を持つ映像復調装置であって、
前記アナログ変調されたＲＦ信号を入力としアナログＩＦ信号を出力するチューナと、
前記アナログＩＦ信号を入力とし前記ＣＶＢＳ信号の復調処理を行う復調部とを備え、
前記復調部は、
前記アナログＩＦ信号をデジタルＩＦ信号に変換するアナログ／デジタル変換器と、
前記デジタルＩＦ信号に含まれる輝度成分のある一定の時間内の最大値が所定の基準値になるようにゲイン調整を行う輝度ゲイン調整部と、
前記ゲイン調整の結果であるゲイン調整結果を入力とし水平同期信号期間の信号を補正して前記ＣＶＢＳ信号として出力する同期補正部とを有し、
前記同期補正部は、前記ゲイン調整結果に含まれる輝度成分と色成分との合成信号が前記基準値未満の時には前記ゲイン調整結果に含まれる輝度成分と色成分との合成信号を前記ＣＶＢＳ信号として出力し、前記ゲイン調整結果に含まれる輝度成分と色成分との合成信号が前記基準値以上の時には前記基準値を前記ＣＶＢＳ信号として出力することを特徴とする映像復調装置。
【請求項２】
請求項１に記載の映像復調装置において、
前記同期補正部は、前記ゲイン調整結果に含まれる輝度成分と色成分との合成信号が前記基準値と設定値とを加算した値未満の時には前記ゲイン調整結果に含まれる輝度成分と色成分との合成信号を前記ＣＶＢＳ信号として出力し、前記ゲイン調整結果に含まれる輝度成分と色成分との合成信号が前記基準値と設定値とを加算した値以上の時には前記基準値と設定値とを加算した値を前記ＣＶＢＳ信号として出力することを特徴とする映像復調装置。
【請求項３】
請求項１に記載の映像復調装置において、
前記デジタルＩＦ信号の水平同期信号の期間であれば１を、それ以外の期間であれば０を水平同期パルスとして出力する同期検出部を更に備え、
前記同期補正部は、前記水平同期パルスが０であれば、常に前記ゲイン調整結果に含まれる輝度成分と色成分との合成信号を前記ＣＶＢＳ信号として出力し、前記水平同期パルスが１であれば、前記ゲイン調整結果に含まれる輝度成分と色成分との合成信号が前記基準値未満の時には前記ゲイン調整結果に含まれる輝度成分と色成分との合成信号を前記ＣＶＢＳ信号として出力し、前記ゲイン調整結果に含まれる輝度成分と色成分との合成信号が前記基準値以上の時には前記基準値を前記ＣＶＢＳ信号として出力することを特徴とする映像復調装置。
【請求項４】
請求項１に記載の映像復調装置において、
前記デジタルＩＦ信号の水平同期信号の期間であれば１を、それ以外の期間であれば０を水平同期パルスとして出力する同期検出部を更に備え、
前記同期補正部は、前記水平同期パルスが１の時には前記基準値を前記ＣＶＢＳ信号として出力し、前記水平同期パルスが０の時には前記ゲイン調整結果に含まれる輝度成分と色成分との合成信号を前記ＣＶＢＳ信号として出力することを特徴とする映像復調装置。
【請求項５】
請求項１に記載の映像復調装置において、
前記デジタルＩＦ信号に含まれるバースト期間の色成分の振幅レベルを検出し、当該色成分の振幅レベルが所定値以上であれば１を、前記所定値未満であれば０を過色信号として出力する色検出部を更に備え、
前記同期補正部は、前記過色信号が１であれば、常に前記ゲイン調整結果に含まれる輝度成分と色成分との合成信号を前記ＣＶＢＳ信号として出力し、前記過色信号が０であれば、前記ゲイン調整結果に含まれる輝度成分と色成分との合成信号が前記基準値未満の時には前記ゲイン調整結果に含まれる輝度成分と色成分との合成信号を前記ＣＶＢＳ信号として出力し、前記ゲイン調整結果に含まれる輝度成分と色成分との合成信号が前記基準値以上の時には前記基準値を前記ＣＶＢＳ信号として出力することを特徴とする映像復調装置。
【請求項６】
水平同期信号を含むコンポジット映像信号（ＣＶＢＳ信号）がアナログ変調されたＲＦ信号を復調し、デジタル処理で前記ＣＶＢＳ信号を再生する機能を持つ映像復調装置であって、
前記アナログ変調されたＲＦ信号を入力としアナログＩＦ信号を出力するチューナと、
前記アナログＩＦ信号を入力とし前記ＣＶＢＳ信号の復調処理を行う復調部と、
復調された前記ＣＶＢＳ信号を入力とし所要の処理を行って映像信号を出力する映像処理部とを備え、
前記復調部は、
前記アナログＩＦ信号をデジタルＩＦ信号に変換するアナログ／デジタル変換器と、
前記デジタルＩＦ信号に含まれる前記ＣＶＢＳ信号の輝度成分の位相オフセットを０に制御して映像音声信号として出力する自動位相調整器と、
前記映像音声信号に含まれる輝度成分及び色成分と音声成分とを分離して前記輝度成分及び色成分を第１のＣＶＢＳ信号として出力するフィルタと、
前記第１のＣＶＢＳ信号の輝度成分のある一定の時間内の最大値が所定の基準値になるようにゲイン調整を行い第２のＣＶＢＳ信号として出力する輝度ゲイン調整部と、
前記第２のＣＶＢＳ信号を入力とし水平同期信号期間の信号を補正して第３のＣＶＢＳ信号として出力する同期補正部と、
前記第３のＣＶＢＳ信号の正負反転を行い所定のＤＣレベルに調整して前記ＣＶＢＳ信号として出力するクランプ回路と、
前記クランプ回路から入力された前記ＣＶＢＳ信号をアナログ信号に変換して前記映像処理部へ出力するデジタル／アナログ変換器とを有し、
前記同期補正部は、前記第２のＣＶＢＳ信号が基準値未満の時には前記第２のＣＶＢＳ信号を前記第３のＣＶＢＳ信号として出力し、前記第２のＣＶＢＳ信号が前記基準値以上の時には前記基準値を前記第３のＣＶＢＳ信号として出力することを特徴とする映像復調装置。
【請求項７】
請求項１〜６のいずれか１項に記載の映像復調装置と、前記アナログ変調されたＲＦ信号を前記チューナへ供給するアンテナとを備えたことを特徴とする受信装置。
【発明の詳細な説明】
【技術分野】
【０００１】
本発明は、コンポジット映像信号（ＣＶＢＳ信号：Composite Video, Blanking, and Sync signal）の復調又は再生をデジタル処理で行う機能を有し、特にＣＶＢＳ信号が出力可能な映像復調装置において、アナログテレビ放送の復調処理で再生されるＣＶＢＳ信号の水平同期信号に含まれるノイズ成分の低減によって安定した水平同期を実現し、ＣＶＢＳ信号から出画される画面の横揺れを防止する技術に関するものである。
【背景技術】
【０００２】
近年、テレビ映像復調装置の高機能化、高画質化及びコストダウン化に伴い、アナログテレビ放送の復調処理、映像処理におけるデジタル化の傾向が強まっている。【０００３】
また、妨害混入時のアナログテレビ放送信号の復調処理では、低品質なＣＶＢＳ信号が再生され、後段の映像処理の水平同期外れが多発し、画面の横揺れが発生する。特に、低コストチューナ使用時には低品質なＣＶＢＳ信号が再生されやすい。このような背景から、低コストで高品質なＣＶＢＳ信号再生を実現できるデジタル復調装置が重要視されている。【０００４】
画面の横揺れの原因となる水平同期外れは、水平同期信号に混入するノイズ成分が大きな要因として分かっている。【０００５】
特許文献１では、例えばビデオテープに記録されたＣＶＢＳ信号を再生する際に、入力されたＣＶＢＳ信号のペデスタル電圧を測定し、得られたペデスタル電圧から所定の値を引いた電圧を水平同期信号の基本電圧として算出し、水平同期信号の期間だけＣＶＢＳ信号を基本電圧に置き換えて出力することで、水平同期信号に混入したノイズの除去を実現している。【０００６】
特許文献２では、既に復調又は再生されたＣＶＢＳ信号を入力とした映像処理装置に関する技術にて、水平同期検出時に入力されたＣＶＢＳ信号からフィルタによってノイズ成分の除去を行い、所定値でスライスすることによって、妨害混入時でも水平同期外れの発生を抑えている。
【先行技術文献】
【特許文献】
【０００７】
【特許文献１】実開昭６１−７５６７８号公報
【特許文献２】特開２００６−１８０５０１号公報
【発明の概要】
【発明が解決しようとする課題】
【０００８】
ＣＶＢＳ信号における水平同期信号に混入するノイズ成分の除去を行い、画面の横揺れを抑えるため、特許文献１では、ペデスタル電圧から所定の値を引いた電圧を水平同期信号の電圧に置き換えている。しかし、この手法では、ペデスタル電圧が誤っていた場合には、水平同期信号の電圧も誤って置き換える課題があり、また水平同期信号の位置が誤っていた場合には、映像期間等に水平同期信号の電圧を置き換えてしまい、出画する映像情報を潰してしまう課題があった。更に、妨害混入時ほどペデスタル電圧の値や水平同期信号の位置は誤りやすいため、妨害混入時のＣＶＢＳ信号再生では、この手法では却ってＣＶＢＳ信号の品質を劣化させてしまう課題があった。【０００９】
特許文献２では、入力された水平同期信号を含むＣＶＢＳ信号からフィルタによってノイズ成分の除去を行い、妨害混入時でも水平同期外れの発生を抑えている。しかし、この構成では、一般的にアナログ／デジタル変換の前後で必ずクランプ回路（ＤＣ成分を調整する回路）が必要となるが、このクランプ回路のＤＣ成分調整は、水平同期信号に混入するノイズ成分の影響を大きく受けるため、ノイズ成分によって入力されるＣＶＢＳ信号のＤＣ成分が不安定となり、安定した水平同期が得にくいという課題があった。【００１０】
本発明の目的は、低品質なＣＶＢＳ信号であっても画面の横揺れの要因である水平同期信号に含まれるノイズ成分を効果的に除去することにある。
【課題を解決するための手段】
【００１１】
上記課題を解決するために、本発明の第１の観点によれば、水平同期信号を含むＣＶＢＳ信号がアナログ変調されたＲＦ（Radio Frequency）信号を復調し、デジタル処理で前記ＣＶＢＳ信号を再生する機能を持つ映像復調装置において、前記アナログ変調されたＲＦ信号を入力としアナログＩＦ（Intermediate Frequency）信号を出力するチューナと、前記アナログＩＦ信号を入力とし前記ＣＶＢＳ信号の復調処理を行う復調部とを備え、前記復調部は、前記アナログＩＦ信号をデジタルＩＦ信号に変換するアナログ／デジタル変換器と、前記デジタルＩＦ信号に含まれる輝度成分のある一定の時間内の最大値が所定の基準値になるようにゲイン調整を行う輝度ゲイン調整部と、前記ゲイン調整の結果であるゲイン調整結果を入力とし水平同期信号期間の信号を補正して前記ＣＶＢＳ信号として出力する同期補正部とを有する。しかも、前記同期補正部は、前記ゲイン調整結果に含まれる輝度成分と色成分との合成信号が前記基準値未満の時には前記ゲイン調整結果に含まれる輝度成分と色成分との合成信号を前記ＣＶＢＳ信号として出力し、前記ゲイン調整結果に含まれる輝度成分と色成分との合成信号が前記基準値以上の時には前記基準値を前記ＣＶＢＳ信号として出力することとする。この構成によって、ＣＶＢＳ信号の水平同期が確立しない、ペデスタルレベルも判定できないような低品質なＣＶＢＳ信号の水平同期信号に含まれるノイズの除去が可能となる。
【００１２】
また、本発明の第２の観点によれば、水平同期信号を含むＣＶＢＳ信号がアナログ変調されたＲＦ信号を復調し、デジタル処理で前記ＣＶＢＳ信号を再生する機能を持つ映像復調装置において、前記アナログ変調されたＲＦ信号を入力としアナログＩＦ信号を出力するチューナと、前記アナログＩＦ信号を入力とし前記ＣＶＢＳ信号の復調処理を行う復調部と、復調された前記ＣＶＢＳ信号を入力とし所要の処理を行って映像信号を出力する映像処理部とを備え、前記復調部は、前記アナログＩＦ信号をデジタルＩＦ信号に変換するアナログ／デジタル変換器と、前記デジタルＩＦ信号に含まれる前記ＣＶＢＳ信号の輝度成分の位相オフセットを０に制御して映像音声信号として出力する自動位相調整器と、前記映像音声信号に含まれる輝度成分及び色成分と音声成分とを分離して前記輝度成分及び色成分を第１のＣＶＢＳ信号として出力するフィルタと、前記第１のＣＶＢＳ信号の輝度成分のある一定の時間内の最大値が所定の基準値になるようにゲイン調整を行い第２のＣＶＢＳ信号として出力する輝度ゲイン調整部と、前記第２のＣＶＢＳ信号を入力とし水平同期信号期間の信号を補正して第３のＣＶＢＳ信号として出力する同期補正部と、前記第３のＣＶＢＳ信号の正負反転を行い所定のＤＣレベルに調整して前記ＣＶＢＳ信号として出力するクランプ回路と、前記クランプ回路から入力された前記ＣＶＢＳ信号をアナログ信号に変換して前記映像処理部へ出力するデジタル／アナログ変換器とを有する。しかも、前記同期補正部は、前記第２のＣＶＢＳ信号が基準値未満の時には前記第２のＣＶＢＳ信号を前記第３のＣＶＢＳ信号として出力し、前記第２のＣＶＢＳ信号が前記基準値以上の時には前記基準値を前記第３のＣＶＢＳ信号として出力することとする。この構成によって、ＣＶＢＳ信号の水平同期が確立しない、ペデスタルレベルが不安定又は検出不可能な低品質なＣＶＢＳ信号の水平同期信号に含まれるノイズの除去が可能となる。
【発明の効果】
【００１３】
本発明によれば、劣悪な受信環境で水平同期位置が不確定であるような場合でも、水平同期信号の補正を正確に行い、クランプ回路のＤＣ成分揺れも抑える映像復調装置を簡単な回路で実現できる。これによって、劣悪な受信環境においても画面の横揺れの少ない映像復調装置を低コストで実現できる。また、アナログ処理では高コスト又は低精度のものしか実現できなかったが、デジタル処理によって低コストかつ高精度での実現が可能となる。
【図面の簡単な説明】
【００１４】
【図１】本発明の第１の実施形態に係る映像復調装置の構成を示すブロック図である。
【図２】図１中の輝度ゲイン調整部及び同期補正部の動作を示すタイミング図である。
【図３】図１中の輝度ゲイン調整部の詳細構成例を示すブロック図である。
【図４】図３の輝度ゲイン調整部の動作を示すタイミング図である。
【図５】図１中の同期補正部の詳細構成例を示すブロック図である。
【図６】図５の同期補正部の動作を示すタイミング図である。
【図７】図１中の輝度ゲイン調整部及び同期補正部の他の動作を示すタイミング図である。
【図８】本発明の第２の実施形態に係る映像復調装置における同期補正部の詳細構成例を示すブロック図である。
【図９】図８の同期補正部の動作を示すタイミング図である。
【図１０】本発明の第３の実施形態に係る映像復調装置における同期補正部の詳細構成例を示すブロック図である。
【図１１】図１０の同期補正部の動作を示すタイミング図である。
【図１２】（ａ）は従来技術による横揺れが酷い画面の例を、（ｂ）は本発明により横揺れが改善された画面の例をそれぞれ示す図である。
【発明を実施するための形態】
【００１５】
以下、本発明の実施形態を図面に基づいて詳細に説明する。
【００１６】
《第１の実施形態》
図１は、本発明の第１の実施形態に係る映像復調装置の構成を示している。図１の映像復調装置１０は、チューナ１１と、復調部１２と、映像処理部１３とで構成される。復調部１２は、ＡＤＣ（アナログ／デジタル変換器：Analog-to-Digital Converter）２１と、ＡＰＣ（自動位相調整器：Automatic Phase Controller）２２と、フィルタ２３と、輝度ゲイン調整部２４と、同期補正部２５と、クランプ回路２６と、ＤＡＣ（デジタル／アナログ変換器：Digital-to-Analog Converter）２７とで構成される。
【００１７】
チューナ１１は、ＣＶＢＳ信号がＮＴＳＣ（National Television System Committee）方式等の負変調によってアナログ変調されたＲＦ信号を入力として、当該ＲＦ信号のダウンコンバート処理を行ってアナログＩＦ信号を出力する。復調部１２は、当該アナログＩＦ信号を入力として、ＣＶＢＳ信号の復調処理を行い、復調によって得たＣＶＢＳ信号を出力する。映像処理部１３は、ＣＶＢＳ信号を入力として、Ｙ／Ｃ分離及びマトリックス処理を行い、映像信号を出力する。
【００１８】
図２は、図１中の輝度ゲイン調整部２４及び同期補正部２５の動作を示している。すなわち、復調部１２の輝度ゲイン調整部２４の入力から同期補正部２５の出力までの信号処理の流れを模式的に示したものである。
【００１９】
ＡＤＣ２１は、アナログＩＦ信号を入力としてアナログ／デジタル変換を行い、デジタルＩＦ信号を出力する。ＡＰＣ２２は、デジタルＩＦ信号を入力として当該デジタルＩＦ信号に含まれるＣＶＢＳ信号の輝度成分の位相オフセットを０に制御して映像音声信号として出力する。フィルタ２３は、映像音声信号に含まれる輝度成分及び色成分と音声成分とを分離して前記輝度成分及び色成分を第１のＣＶＢＳ信号（ＣＶＢＳ１）として出力する。つまり、第１のＣＶＢＳ信号（ＣＶＢＳ１）は輝度成分と色成分との合成信号である。輝度ゲイン調整部２４は、第１のＣＶＢＳ信号（ＣＶＢＳ１）の輝度成分の最大値が所定の基準値Ａになるように第１のＣＶＢＳ信号（ＣＶＢＳ１）のゲイン調整を行い、第２のＣＶＢＳ信号（ＣＶＢＳ２）として出力する。同期補正部２５は、第２のＣＶＢＳ信号（ＣＶＢＳ２）を入力とし、水平同期信号期間の信号を補正して第３のＣＶＢＳ信号（ＣＶＢＳ３）として出力する。クランプ回路２６は、入力された第３のＣＶＢＳ信号（ＣＶＢＳ３）の正負反転を行い、所定のＤＣレベルに調整してＣＶＢＳ信号として出力する。ＤＡＣ２７は、ＣＶＢＳ信号をアナログ信号に変換して出力する。
【００２０】
図３は図１中の輝度ゲイン調整部２４の詳細構成例を、図４は図３の輝度ゲイン調整部２４の動作をそれぞれ示している。輝度ゲイン調整部２４は、乗算部２４１と、Ｖフィルタ２４２と、ピーク検出部２４３と、差分検出部２４４と、累積加算部２４５とで構成される。
【００２１】
輝度ゲイン調整部２４の乗算部２４１は、第１のＣＶＢＳ信号（ＣＶＢＳ１）とゲイン値とを入力し、乗算した結果を第２のＣＶＢＳ信号（ＣＶＢＳ２）として出力する。Ｖフィルタ２４２は、３００ｋＨｚ帯域程度のフィルタを用いることで第２のＣＶＢＳ信号（ＣＶＢＳ２）の色成分及びノイズ成分の除去を行い、輝度成分を出力する。ピーク検出部２４３は、水平同期信号の周期の中で入力された輝度成分の最大値を検出し、同周期毎で値を更新してピーク値として出力する。差分検出部２４４は、ピーク値と任意に設定できる基準値Ａとの差分を計算し、差分情報として出力する。累積加算部２４５は、αを定数とするとき、差分情報／αを累積値に加算していくことで平滑化を行いゲイン値として乗算部２４１に出力する。なお、累積値の初期値には１．０００等を設定する。またゲイン値は、基準値Ａとピーク値とが同じ値になる所に収束する。
【００２２】
図５は図１中の同期補正部２５の詳細構成例を、図６は図５の同期補正部２５の動作をそれぞれ示している。同期補正部２５は、比較部２５１と、選択部２５２とで構成される。
【００２３】
同期補正部２５の比較部２５１は、第２のＣＶＢＳ信号（ＣＶＢＳ２）と基準値Ａとを入力とし、第２のＣＶＢＳ信号（ＣＶＢＳ２）が基準値Ａ以上の時には１を、第２のＣＶＢＳ信号（ＣＶＢＳ２）が基準値Ａ未満の時には０を比較信号として出力する。選択部２５２は、比較信号が１の時には基準値Ａを、比較信号が０の時には第２のＣＶＢＳ信号（ＣＶＢＳ２）を第３のＣＶＢＳ信号（ＣＶＢＳ３）として出力する。
【００２４】
ここで、輝度ゲイン調整部２４で、第２のＣＶＢＳ信号（ＣＶＢＳ２）の輝度成分の最大値が基準値Ａになるように第１のＣＶＢＳ信号（ＣＶＢＳ１）のゲイン調整を行って第２のＣＶＢＳ信号（ＣＶＢＳ２）を出力しているため、
ＣＶＢＳ２の輝度成分の最大値    ・・・（１）
基準値Ａ                        ・・・（２）
とおくと、（１）と（２）とは同じ大きさである。また、一般的にＣＶＢＳ信号の負変調信号の復調において現処理段階では、水平同期信号より大きい信号はノイズ以外になく、また水平同期信号は輝度成分しか含まないため、
ＣＶＢＳ２の輝度成分の最大値    ・・・（１）
ＣＶＢＳ２の水平同期信号の値    ・・・（３）
とおくと、（１）と（３）とは同じ大きさである。よって、（２）と（３）とも同じ大きさとなる。
【００２５】
これより、同期補正部２５で、入力された第２のＣＶＢＳ信号（ＣＶＢＳ２）が基準値Ａ以上の場合、基準値Ａを出力することにより、水平同期信号のノイズを効果的に除去できる。
【００２６】
以上のように、本発明の第１の実施形態によれば、水平同期信号の位置が正確に分からない低品質な信号を受信している場合でも、正確に水平同期信号のノイズ除去を行うことが可能である。また輝度ゲイン調整部２４は、常に第２のＣＶＢＳ信号（ＣＶＢＳ２）の輝度成分の最大値が基準値Ａになるように制御しており、第２のＣＶＢＳ信号（ＣＶＢＳ２）の水平同期信号のあるべき大きさと基準値Ａとの誤差もほとんど発生しない。これらより、低品質な信号を受信している場合でも、水平同期信号の補正を正確に行うことで安定した水平同期を実現し、画面の横揺れを抑えることが可能である。
【００２７】
なお、上記映像復調装置１０の動作説明では、負変調によってアナログ変調されたＲＦ信号を入力した事例で紹介したが、本発明は、負変調によってアナログ変調されたＲＦ信号をアンテナにて受信する映像復調装置１０に限定するものではない。また、同期補正部２５で使う基準値Ａは、輝度ゲイン調整部２４で使う基準値Ａと全く同じである必要はなく、図７に示すように設定値の増減による調整を行ってもよい。これにより、ノイズ除去の強さを変更することができる。また、Ｖフィルタ２４２の帯域の３００ｋＨｚ等は分かりやすく定量的に記載したが、本発明は、この値に限定されるものではない。
【００２８】
《第２の実施形態》
本発明の第２の実施形態は、第１の実施形態の映像復調装置１０と同じ構成及び動作において、復調部１２中の同期補正部２５の構成を変更したものである。
【００２９】
図８は本発明の第２の実施形態に係る映像復調装置１０における同期補正部２５の詳細構成例を、図９は図８の同期補正部２５の動作をそれぞれ示している。図８において、２５３は同期検出部、２５４は制御部である。
【００３０】
同期補正部２５の比較部２５１は、第２のＣＶＢＳ信号（ＣＶＢＳ２）と基準値Ａとを入力とし、第２のＣＶＢＳ信号（ＣＶＢＳ２）が基準値Ａ以上の時には１を、第２のＣＶＢＳ信号（ＣＶＢＳ２）が基準値Ａ未満の時には０を比較信号として出力する。選択部２５２は、比較信号が１の時には基準値Ａを補正された第２のＣＶＢＳ信号（ＣＶＢＳ２’）として出力し、比較信号が０の時には第２のＣＶＢＳ信号（ＣＶＢＳ２）をそのまま補正された第２のＣＶＢＳ信号（ＣＶＢＳ２’）として出力する。同期検出部２５３は、第２のＣＶＢＳ信号（ＣＶＢＳ２）の水平同期信号の期間は１を、それ以外の期間は０を水平同期パルスとして出力する。制御部２５４は、水平同期パルスが１の時には補正された第２のＣＶＢＳ信号（ＣＶＢＳ２’）を、水平同期パルスが０の時には第２のＣＶＢＳ信号（ＣＶＢＳ２）を第３のＣＶＢＳ信号（ＣＶＢＳ３）として出力する。
【００３１】
以上のように、本発明の第２の実施形態によれば、水平同期信号の期間のみ水平同期信号の補正を行うことで、規格外の色成分等を含む信号を処理する場合でも、誤りなく信号の補正を行うことが可能である。
【００３２】
なお、制御部２５４は、水平同期パルスが１の時には基準値Ａを、水平同期パルスが０の時には第２のＣＶＢＳ信号（ＣＶＢＳ２）を第３のＣＶＢＳ信号（ＣＶＢＳ３）として出力してもよい。また、水平同期パルスは同期検出部２５３から出力されているが、映像処理部１３等の他ブロックで発生している水平同期パルスの遅延を調整して使用してもよい。
【００３３】
《第３の実施形態》
本発明の第３の実施形態は、第１の実施形態の映像復調装置１０と同じ構成及び動作において、復調部１２中の同期補正部２５の構成を変更したものである。
【００３４】
図１０は本発明の第３の実施形態に係る映像復調装置１０における同期補正部２５の詳細構成例を、図１１は図１０の同期補正部２５の動作をそれぞれ示している。図１０において、２５３は同期検出部、２５４は制御部、２５５は色検出部である。
【００３５】
同期補正部２５の比較部２５１は、第２のＣＶＢＳ信号（ＣＶＢＳ２）と基準値Ａとを入力とし、第２のＣＶＢＳ信号（ＣＶＢＳ２）が基準値Ａ以上の時には１を、第２のＣＶＢＳ信号（ＣＶＢＳ２）が基準値Ａ未満の時には０を比較信号として出力する。選択部２５２は、比較信号が１の時には基準値Ａを補正された第２のＣＶＢＳ信号（ＣＶＢＳ２’）として出力し、比較信号が０の時には第２のＣＶＢＳ信号（ＣＶＢＳ２）をそのまま補正された第２のＣＶＢＳ信号（ＣＶＢＳ２’）として出力する。同期検出部２５３は、第２のＣＶＢＳ信号（ＣＶＢＳ２）のバースト期間は１を、それ以外の期間は０をバーストパルスとして出力する。色検出部２５５は、バーストパルスが１の時の第２のＣＶＢＳ信号（ＣＶＢＳ２）の最大値と最小値との差分（色成分の振幅レベル）Ｂが所定値以上であれば１を、所定値未満であれば０を水平同期周期で更新して過色信号として出力する。制御部２５４は、過色信号が１の時には第２のＣＶＢＳ信号（ＣＶＢＳ２）を、過色信号が０の時には補正された第２のＣＶＢＳ信号（ＣＶＢＳ２’）を第３のＣＶＢＳ信号（ＣＶＢＳ３）として出力する。
【００３６】
以上のように、本発明の第３の実施形態によれば、バースト信号（ＣＶＢＳ信号の色成分）がゴースト等の影響で規格外に増大している場合、同期補正部２５の機能を止めることで、ノイズ成分以外に水平同期信号より大きい信号があるような規格外の信号でも信号波形をそのまま再生することが可能となる。
【００３７】
なお、色検出部２５５は、バーストパルスが１の時の色成分の周波数を抜き出すＢＰＦ（バンドパスフィルタ）の出力値の大きさを判定して過色信号を生成してもよい。
【００３８】
図１２（ａ）は従来技術による横揺れが酷い画面の例を、図１２（ｂ）は本発明により横揺れが改善された画面の例をそれぞれ示す図である。両図の丸印を付けた部分を比較すれば、本発明による横揺れ改善効果が明らかである。
【産業上の利用可能性】
【００３９】
以上説明してきたとおり、本発明に係る映像復調装置は、低品質なＣＶＢＳ信号であっても画面の横揺れの要因である水平同期信号に含まれるノイズ成分を効果的に除去することができる効果を有し、ＣＶＢＳ信号の復調又は再生をデジタル処理で行う機能を有する映像復調装置等として有用である。
【符号の説明】
【００４０】
１０  映像復調装置
１１  チューナ
１２  復調部
１３  映像処理部
２１  ＡＤＣ（アナログ／デジタル変換器）
２２  ＡＰＣ（自動位相調整器）
２３  フィルタ
２４  輝度ゲイン調整部
２５  同期補正部
２６  クランプ回路
２７  ＤＡＣ（デジタル／アナログ変換器）
２４１  乗算部
２４２  Ｖフィルタ
２４３  ピーク検出部
２４４  差分検出部
２４５  累積加算部
２５１  比較部
２５２  選択部
２５３  同期検出部
２５４  制御部
２５５  色検出部
【図１】
0005914836.tif 000002
【図２】
0005914836.tif 000003
【図３】
0005914836.tif 000004
【図４】
0005914836.tif 000005
【図５】
0005914836.tif 000006
【図６】
0005914836.tif 000007
【図７】
0005914836.tif 000008
【図８】
0005914836.tif 000009
【図９】
0005914836.tif 000010
【図１０】
0005914836.tif 000011
【図１１】
0005914836.tif 000012
【図１２】
0005914836.tif 000013